(57)【要約】      （修正有）【課題】バランスを容易に保ち、安全に筋トレ効果を向上させることができるクランク式ダブルエクササイズホイールを提供する。【解決手段】クランク式ダブルエクササイズホイールは、２つのホイール１０と、連動クランク２０と、２つの保持用回転グリップ３０とを含む。２つのホイールは、縦置き、且つ同軸に離間して配置されている。各ホイールは、中心軸設定部１１と、輪周面１２とを備える。連動クランクは、２つのホイールの間に横置きに配置され、２つのホイールの中心軸設定部に装着される２つの当接端部２３と、２つの当接端部の間に形成されている第一クランク部２１と第二クランク部２２と、第一クランク部と第二クランク部を連結する連結部２４とを備える。第一クランク部と第二クランク部は湾曲しており、その突出方向が反対向きである。クランク部の外周面と、ホイールの輪周面との間に、クランクを握るためのギャップ２５が設けられている。【選択図】図２
0003186348.tif 000002
【実用新案登録請求の範囲】
【請求項１】
２つのホイール１０と、連動クランク２０と、２つの保持用回転グリップ３０とを含むクランク式ダブルエクササイズホイールにおいて、
前記２つのホイール１０は、縦置きに配置され、且つ離間して同軸に配置され、各ホイール１０は、中心軸設定部１１と、輪周面１２を備えており、
前記連動クランク２０は、前記２つのホイール１０の間に横置きに配置され、前記連動クランク２０は、２つのホイール１０の中心軸設定部１１に装着される２つの当接端部２３と、２つの当接端部２３の間に形成される第一クランク部２１及び第二クランク部２２と、第一クランク部２１と第二クランク部２２を連結する連結部２４とを備え、第一クランク部２１と第二クランク部２２の湾曲による突出方向が反対向きであり、且つ第一クランク部２１及び第二クランク部２２の外側面と、ホイール１０の輪周面１２との間には、第一クランク部２１及び第二クランク部２２を握るための保持用ギャップ２５が設けられており、
前記連動クランク２０の２つの当接端部２３と、前記２つのホイール１０の中心軸設定部１１との間は、連動するように相互に固定されており、
前記２つの保持用回転グリップ３０はそれぞれ、第一クランク部２１及び第二クランク部２２上で回転できるように第一クランク部２１及び第二クランク部２２上に取り付けられており、
前記クランク式ダブルエクササイズホイールＡを使用する時、使用者が両手でそれぞれ前記２つの保持用回転グリップ３０を握った後、押すか或いは引くことにより、前記連動クランク２０を回転させる場合、２つのホイール１０が回転しながら前進するか、或いは後退するので、使用者が両手の前後方向の差異と、高度方向の差異により、エクササイズ効果を得ることができ、且つ離間して配置されている前記２つのホイール１０により、安定な支持力を受けることができる、ことを特徴とするクランク式ダブルエクササイズホイール。
【請求項２】
前記２つのホイール１０の輪周面２０の周長は、３５センチから９０センチまでの間に入っている、ことを特徴とする請求項１に記載のクランク式ダブルエクササイズホイール。
【請求項３】
前記連動クランク２０の連結部２４は、前記第一クランク部２１及び第二クランク部２２に、垂直、又は傾斜に配置されている、ことを特徴とする請求項２に記載のクランク式ダブルエクササイズホイール。
【請求項４】
前記連動クランク２０は、１つの中空管体または中実の棒体を曲げて形成し、前記２つのホイール１０の輪周面１２には、溝付き１３がさらに設けられている、ことを特徴とする請求項３に記載のクランク式ダブルエクササイズホイール。
【請求項５】
前記連動クランク２０の２つの当接端部２３Ｂと、前記２つのホイール１０の中心軸設定部１１との間は、着脱可能に組み立てられ、前記ホイールは、使用者が選用することができる直径が異なる複数のホイール１０、１０Ｂを含み、且つ直径が異なるホイール１０、１０Ｂを取り付ける場合、エクササイズホイールＡが円弧線に沿って移動する、ことを特徴とする請求項４に記載のクランク式ダブルエクササイズホイール。
【考案の詳細な説明】
【技術分野】
【０００１】
本考案は、エクササイズホイールに関わり、特に、新規なクランク式ダブルエクササイズホイールに関する。
【背景技術】
【０００２】
現在、エクササイズホイールは、広く普及され、且つよく見られるスポーツ・エクササイズグッズである。エクササイズホイールは、構造が簡単で、スペースを占用せず、且つ鍛錬効果もよいというメリットがあるので、ずっと筋トレ愛好者やジムの利用者たちに好まれている。
【０００３】
エクササイズホイールの常用者が周知する通り、従来のエクササイズホイールは、１つのホイールと、前記ホイールの両側の中心部に突出している２つの保持バーとから構成されている。使用者が両手で前記２つの保持バーをそれぞれ握った後、押すか或いは引くことにより、前記ホイールの前進・後退を制御し、且つこれにより、腕、腰・背中、足部などの筋肉の肌トレを行うことができる。ただし、そのような伝統的なエクササイズホイールを使用する時、２つの保持バーをつかまった両手の高度を変えることができないので、エクササイズホイールの使用方法が単調で、且つ筋トレ効果を更に向上させることができないという問題点や欠点がある。
【０００４】
前述したエクササイズホイールの問題点や欠点を解決するため、関連業界では、新型エクササイズホイールを開発した。従来のエクササイズホイールにおいて、２つの保持バーがホイールの両側の中心部に同軸に突出しているが、新型エクササイズホイールにおいては、２つの保持バーの位置が異なるようにホイールの両側の中心部に不同軸に突出している。新型エクササイズホイールを使用する時、使用者が両手で前記２つの保持バーを握った後、押すか或いは引くことにより、ホイールの前進・後退を制御することができる。この場合、前記ホイールの両側の中心部に不同軸にそれぞれ突出している２つの保持バーにより、使用者の両手に前後方向の差異と、高度方向の差異が生じるので、バラエティな動きを実現すると共に、筋トレ効果を更に向上させることができる。しかし、前記エクササイズホイールを使用する時、２つの保持バーにより使用者の両手に前後方向の差異と、高度方向の差異が生じるので、使用者の両手が受ける力が違くなり、使用者がバランスを崩す恐れがある。且つ、２つの保持バーの間に形成されている１つのホイールは、体に安定な支持力を提供することができないので、使用者が腕と体の筋力によりバランスを保たなければならない。身体の幾つかの部位の筋力によりバランスを保つことは、困難で、危険すぎである。即ち、靭帯損傷や捻挫などを招来する安全問題があるので、前述した問題を解決する解決策を考えなければならない。
【０００５】
前述した従来のエクササイズホイールに存在している問題点を解決するため、関連業者がよりよい実用性を有する新規な製品を開発することを目標とするべきである。
【０００６】
前述した問題を解決するため、本考案者は、関連製品を長年間製造、開発及び設計してきた経験に基づいて、細かい設計及び実験を行って得た、ようよい実用性のある本考案を提出する。
【考案の概要】
【考案が解決しようとする課題】
【０００７】
本考案は、クランク式ダブルエクササイズホイールを提供することを目的とする。解決しようとする課題は、より良い実用性のある新規なエクササイズホイール構造を開発することにある。
【課題を解決するための手段】
【０００８】
本考案の課題を解決するため以下のような技術特徴を有しているクランク式ダブルエクササイズホイールを提供する。本考案のクランク式ダブルエクササイズホイールは、２つのホイールと、連動クランクと、２つの保持用回転グリップとを含む。前記２つのホイールは、縦置きに配置され、且つ同軸に離間して配置されている。各ホイールは、中心軸設定部と、輪周面とを備える。前記連動クランクは、前記２つのホイールの間に横置きに配置されている。前記連動クランクは、前記２つのホイールの中心軸設定部に装着される２つの当接端部と、前記２つの当接端部の間に形成されている第一クランク部と第二クランク部と、第一クランク部と第二クランク部を連結する連結部とを備える。前記第一クランク部と前記第二クランク部の湾曲による突出方向が反対向きである。前記第一クランク部及び第二クランク部の外側面と、前記ホイールの輪周面との間には、第一クランク部及び第二クランク部を握るための保持用ギャップが設けられている。前記連動クランクの２つの当接端部と、前記２つのホイールの中心軸設定部との間は、相互に連動するように固定されている。前記２つの保持用回転グリップはそれぞれ、前記第一クランク部と第二クランク部上に取り付けられている。具体的には、前記第一クランク部と第二クランク部上で回転できるように、前記第一クランク部と第二クランク部上に取り付けられている。
【考案の効果】
【０００９】
従来の技術と比較して見ると、本考案のクランク式ダブルエクササイズホイールは、特有な構造により以下のような発明効果を奏することができる。使用者が本考案のクランク式ダブルエクササイズホイールを使用する時、使用者が両手でそれぞれ２つの保持用回転グリップをつかまった後、押すか或いは引くことにより、前記連動クランクを回転させることができる。即ち、前記２つのホイールが回転しながら前進するか、或いは後退するようにする。この場合、使用者の両手に前後方向の差異と、高度方向の差異が生じるので、よりよいエクササイズ効果を得ることができる。また、離間して配置されている２つのホイールにより、使用者の体に安定な支持力を与えることができるので、スポーツ傷害などの発生を有效に防止すると共に、よりよいスポーツ・エクササイズ効果を得ることができる。即ち、本考案は実用性・進歩性を有している。
【図面の簡単な説明】
【００１０】
【図１】本考案の好適な実施例に係るクランク式ダブルエクササイズホイールを示す斜視図である。
【図２】図１の平面図である。
【図３】本考案の保持用回転グリップの延伸方向に沿った断面を示す図である。
【図４】本考案の保持用回転グリップの径方向に沿った断面を示す図。
【図５】本考案の他の実施例に係る連動クランクの連結部を示す図である。
【図６】本考案の使用状態を示す簡略図である。
【図７】本考案の使用状態を示す簡略図である。
【図８】本考案のクランク式ダブルエクササイズホイールに直径が異なるホイールを取り付けることを示す図である。
【図９】本考案のクランク式ダブルエクササイズホイールに直径が異なる２つのホイールを取り付けて、クランク式ダブルエクササイズホイールが円弧に沿って移動することを示す図である。
【考案を実施するための形態】
【００１１】
図１〜図４は、本考案の好適な実施例に係るクランク式ダブルエクササイズホイールを示す図である。後述する実施例は、本考案を説明するためのものであるが、本考案が後述する実施例の構造にのみ制限されるものではない。
【００１２】
本考案のクランク式ダブルエクササイズホイールＡは、２つのホイール１０と、連動クランク２０と、２つの保持用回転グリップ３０とを含む。前記２つのホイール１０は、縦置きに配置され、且つ同軸に離間して配置されている。各ホイール１０は、中心軸設定部１１と輪周面１２を備えている。
【００１３】
前記連動クランク２０は、横置きに配置され、且つ前記２つのホイール１０の間に配置されている。前記連動クランク２０は、２つのホイール１０の中心軸設定部１１に装着されている２つの当接端部２３と、２つの当接端部２３の間に形成されている第一クランク部２１及び第二クランク部２２と、第一クランク部２１と第二クランク部２２を連結する連結部２４とを備える。前記第一クランク部２１と第二クランク部２２の湾曲による突出方向が反対向きである。且つ前記第一クランク部２１及び第二クランク部２２の外周面と、前記ホイール１０の輪周面１２との間は、第一クランク部２１及び第二クランク部２２を握るための保持用ギャップ２５が設けられている（図２のみに示されている）。
【００１４】
前記連動クランク２０の２つの当接端部２３と、前記２つのホイール１０の中心軸設定部１１との間は、連動する（即ち、ともに回転する）ように固定されている（例えば、詰め込み、嵌め込み、定方向の差込、接着固定などのような固定形態である）。
【００１５】
前記２つの保持用回転グリップ３０はそれぞれ、第一クランク部２１と第二クランク部２２に取り付けられている。即ち、前記２つの保持用回転グリップ３０は、第一クランク部２１、第二クランク部２２に相対して回転するように第一クランク部２１と第二クランク部２２に取り付けられている。保持用回転グリップ３０の具体的な実施例として、硬質のプラスチック円筒体、又は金属管体などのような構成部品を用いることができる。
【００１６】
前述した本考案の構造、組立てや設計により、本考案の使用、作動状況について次の通り説明する。
【００１７】
前記クランク式ダブルエクササイズホイールＡを使用する時の状態は、図６、図７に示す通りである。使用者が両手で２つの保持用回転グリップ３０をそれぞれ握った後、押すか或いは引くことにより、該連動クランク２０を回転させる（矢印Ｌ１）。これにより、２つのホイール１０が回転しながら前進するか、或いはは後退する（図７の矢印Ｌ２）。即ち、本考案は、左右の両手の前後方向の差異と、高度方向の差異とにより、よりよいスポーツ・エクササイズ効果を得ることができる。また、離間して配置されている前記２つのホイール１０により、使用者が安定な支持力を受けることができる。即ち、使用者がクランク式ダブルエクササイズホイールＡを使用する時、バランスを容易に保つことができるので、スポーツ傷害の発生を有效に防止し、安全性を向上させることができる。
【００１８】
図１、図２に示す通り、前記２つのホイール１０の輪周面１２には、溝付き１３がさらに設けられている。前記溝付き１３を設置することにより、ホイール１０が地面で回転するときの摩擦力と安定性を高めることができる。
【００１９】
図２に示す通り、前記連動クランク２０の連結部２４は、第一クランク部２１及び第二クランク部２２に垂直であるように配置されている（即ち、Ｘ１は９０°）。
【００２０】
図５に示す通り、前記連動クランク２０は、連結部２４Ｂと第一クランク部２１又は第二クランク部２２との間に、９０°以上であり、且つ１８０°以下である角度が形成されるように配置してもよい（Ｘ２が示す通り）。
【００２１】
前記連動クランク２０は、１つの中空の管体、又は中実の棒体を曲げることにより形成することができる。
【００２２】
好適な実施形態において、前記２つのホイール１０の輪周面１２の周長は、３５センチから９０センチまでの範囲に入っている。ホイール１０の輪周面１２の周長が９０センチを超える場合、ホイール１０の直径が大きくなる。この場合、使用者がクランク式ダブルエクササイズホイールＡを前進させるか、或いは後退させる時、ホイール１０が回転する回転数が少ないので、合理的な使用効果を得ることができない。
【００２３】
図８、図９に示す通り、前記連動クランク２０の２つの当接端部２３Ｂと、２つのホイール１０の中心軸設定部１１との間は、着脱可能なタイプに組み立てられている（例えば、非円形棒端部と非円形孔とを組み立てる形態）。前記ホイールは、使用者が需要に従って自由に組立てることができるように、直径が異なる複数のホイール１０、１０Ｂを含むこともできる。直径が異なる２つのホイール１０、１０Ｂを組立てる場合（図９に示す通りである）、エクササイズホイールが円弧線に沿って移動する（図９の矢印Ｌ３）ので、使用者の腰部左側と右側の肌肉の伸縮が相違に異なり、使用者の腰部の筋肉を更に鍛えることができる。
【００２４】
本考案に掲示された「クランク式ダブルエクササイズホイール」は、２つのホイールと、連動クランクと、２つの保持用回転グリップなどから構成され、前記連動クランクは、２つの当接端部と、第一クランク部と、第二クランク部と、一連結部とを備えている新規な構造と技術特徴を有する製品である。本考案のクランク式ダブルエクササイズホイールと、「背景技術」に記載されている従来の構造とを比較してみると、以下のような考案の効果を奏することができる。即ち、本考案のクランク式ダブルエクササイズホイールを使用する時、使用者が両手でそれぞれ２つの保持用回転グリップを握った後、押すか或いは引くことにより、前記連動クランクを回転させる。これにより、２つのホイールが回転しながら前進するか、或いは後退する。この場合、本考案は、両手の前後方向の差異と、高低方向の差異とにより、よりよいスポーツ・エクササイズ効果を得ることができる。また、離間して配置されている２つのホイールにより、使用者の体が安定な支持力を受けることができる。即ち、使用者の体に安定な支持力を与えて、スポーツ傷害の発生を有效に防止し、よりよいスポーツ・エクササイズ効果を奏することができるので、本考案は実用性・進歩性を有している。
【００２５】
本考案者は、前述した実施例により本考案を具体的に説明し、且つ文中で特定した技術用語を用いて説明してきたが、本考案の技術的範囲が前述した内容にのみ限定されるものではない。本技術分野の技術者が本考案のコンセプトや原理などに基づいて行い、且つ同じな考案の効果を得ることが出来る色々な変更や改造が、後述する実用新案登録請求の範囲が定めた範囲に含まれることは勿論である。
【符号の説明】
【００２６】
Ａ  エクササイズホイール
１０  ホイール
１０Ｂ  ホイール
１１  中心軸設定部
１１Ｂ  中心軸設定部
１２  輪周面
１３  溝付き
２０  連動クランク
２１  第一クランク部
２２  第二クランク部
２３  当接端部
２３Ｂ  当接端部
２４  連結部
２４Ｂ  連結部
２５  保持用ギャップ
３０  保持用回転グリップ
【図１】
0003186348.tif 000003
【図２】
0003186348.tif 000004
【図３】
0003186348.tif 000005
【図４】
0003186348.tif 000006
【図５】
0003186348.tif 000007
【図６】
0003186348.tif 000008
【図７】
0003186348.tif 000009
【図８】
0003186348.tif 000010
【図９】
0003186348.tif 000011